【手続補正書】
【提出日】平成17年8月4日(2005.8.4)
【手続補正１】
【補正対象書類名】明細書
【補正対象項目名】発明の名称
【補正方法】変更
【補正の内容】
【発明の名称】音声信号伝送方法及び伝送されたデータの再生方法
【手続補正２】
【補正対象書類名】明細書
【補正対象項目名】特許請求の範囲
【補正方法】変更
【補正の内容】
【特許請求の範囲】
【請求項１】
オリジナルの楽曲のアナログオ−デイオ信号をＡ／Ｄ変換してデジタルデ−タ列を生成するステツプと、
前記１以上のオリジナル楽曲と、前記オリジナルの楽曲とは別に選択的に再生するためのボ−ナス情報とを管理するオ−デイオマネジヤ（ＡＭＧ）と、
楽曲を含むデ−タの単位を１つのオ−デイオタイトルとして、再生装置が複数のオ−デイオタイトルにアクセスして楽曲を連続して再生する単位を１つのタイトルグル−プとして、
第１〜第（ｎ−１）番目に設けられ、オリジナルの楽曲を含むオ−デイオタイトルにより構成された１以上の第１のタイトルグル−プと、
所望時に最終のｎ番目に設けられ、ボ−ナス情報を含むオ−デイオタイトルにより構成された１つの第２のタイトルグル−プと、
前記ボ−ナス情報の第２のタイトルグル−プにアクセスするためのデ−タとして、また、前記ボ−ナス情報の第２のタイトルグル−プが存在しないことを示すためのデ−タとしてのインタラクテイブデ−タと、
再生装置が前記オ−デイオタイトルをサ−チするためのサ−チポインタと、
所望時に設けられるビデオフアイルであつて、その中のオ−デイオデ−タは前記オリジナル楽曲の構成要素である第１のオ−デイオタイトルとして管理することが許容されるビデオフアイルとを、
有するデータ構造にフオ−マツト化するステツプと、
により前記フオ−マツト化されたデ−タを伝送回線を介して伝送することを特徴とする音声信号伝送方法。
【請求項２】
請求項１記載の音声信号伝送方法で伝送されたデータの再生方法であって、
前記ボーナス情報にアクセスするためのインタラクティブデータを入力するステップと、
前記入力インタラクティブデータと関係なく前記サーチポインタに基づいて第１のタイトルグループにアクセスして前記オリジナルの楽曲を再生するとともに、前記入力インタラクティブデータと前記記録されたインタラクティブデータが一致した場合に前記サーチポインタに基づいて第２のタイトルグループにアクセスして前記ボーナス情報を再生するステップと、
からなる再生方法。
【手続補正３】
【補正対象書類名】明細書
【補正対象項目名】０００１
【補正方法】変更
【補正の内容】
【０００１】
【発明の属する技術分野】
本発明は、マルチチャネルの音声信号を通信回線を介して伝送する方法及びその伝送されたデータの再生方法に関する。
【手続補正４】
【補正対象書類名】明細書
【補正対象項目名】０００９
【補正方法】変更
【補正の内容】
【０００９】
また、ディスクに記録されたデータばかりでなく、通信回線を介して伝送されてデータを再生装置、つまり、受信装置側で再生する場合も、同様の問題があり、本発明では、前記の問題を解決した音声信号の伝送方法及びその伝送されたデータの再生方法を提供することにある。
【手続補正５】
【補正対象書類名】明細書
【補正対象項目名】００１０
【補正方法】変更
【補正の内容】
【００１０】
【課題を解決するための手段】
本発明は、以下の１）及び２）の手段より成るものである。
すなわち、
【手続補正６】
【補正対象書類名】明細書
【補正対象項目名】００１１
【補正方法】変更
【補正の内容】
【００１１】
１）オリジナルの楽曲のアナログオ−デイオ信号をＡ／Ｄ変換してデジタルデ−タ列を生成するステツプと、
前記１以上のオリジナル楽曲と、前記オリジナルの楽曲とは別に選択的に再生するためのボ−ナス情報とを管理するオ−デイオマネジヤ（ＡＭＧ）と、          
楽曲を含むデ−タの単位を１つのオ−デイオタイトルとして、再生装置が複数のオ−デイオタイトルにアクセスして楽曲を連続して再生する単位を１つのタイトルグル−プとして、
第１〜第（ｎ−１）番目に設けられ、オリジナルの楽曲を含むオ−デイオタイトルにより構成された１以上の第１のタイトルグル−プと、
所望時に最終のｎ番目に設けられ、ボ−ナス情報を含むオ−デイオタイトルにより構成された１つの第２のタイトルグル−プと、
前記ボ−ナス情報の第２のタイトルグル−プにアクセスするためのデ−タとして、また、前記ボ−ナス情報の第２のタイトルグル−プが存在しないことを示すためのデ−タとしてのインタラクテイブデ−タと、
再生装置が前記オ−デイオタイトルをサ−チするためのサ−チポインタと、
所望時に設けられるビデオフアイルであつて、その中のオ−デイオデ−タは前記オリジナル楽曲の構成要素である第１のオ−デイオタイトルとして管理することが許容されるビデオフアイルとを、
有するデータ構造にフオ−マツト化するステツプと、
により前記フオ−マツト化されたデ−タを伝送回線を介して伝送することを特徴とする音声信号伝送方法。
２）請求項１記載の音声信号伝送方法で伝送されたデータの再生方法であって、
前記ボーナス情報にアクセスするためのインタラクティブデータを入力するステップと、
前記入力インタラクティブデータと関係なく前記サーチポインタに基づいて第１のタイトルグループにアクセスして前記オリジナルの楽曲を再生するとともに、前記入力インタラクティブデータと前記記録されたインタラクティブデータが一致した場合に前記サーチポインタに基づいて第２のタイトルグループにアクセスして前記ボーナス情報を再生するステップと、
からなる再生方法。
【手続補正７】
【補正対象書類名】明細書
【補正対象項目名】００３１
【補正方法】変更
【補正の内容】
【００３１】
図１６は本発明に適用されるエンコード装置を示している。オリジナルの楽曲、カラオケ音楽、ＢＧＭなどのオーディオ信号ＡはＡ／Ｄ変換器３１によりデジタル信号に変換され、次いで信号処理回路３２に印加される。信号処理回路３２及びメモリ３３はこのデジタルオーディオ信号を、圧縮を行わない場合にはそのままＤＶＤ符号化回路３４に出力し、他方、圧縮を行う場合には圧縮を行ってＤＶＤ符号化回路３４に出力する。また、ビデオ信号Ｖ及び静止画信号ＳＰはＡ／Ｄ変換器３１Ｖによりデジタル信号に変換され、次いで信号処理回路３２に印加される。信号処理回路３２及びメモリ３３はこのデジタル静止画信号をＭＰＥＧフォーマットにエンコードしてＤＶＤ符号化回路３４に出力する。
【手続補正８】
【補正対象書類名】明細書
【補正対象項目名】００５９
【補正方法】削除
【補正の内容】
【手続補正９】
【補正対象書類名】明細書
【補正対象項目名】図面の簡単な説明
【補正方法】変更
【補正の内容】
【図面の簡単な説明】
【図１】
本発明が適用される情記録媒体の第１の実施形態としてＤＶＤ−オーディオディスクのフォーマットを示す説明図である。
【図２】
図１のＡＭＧＩ（オーディオ・マネージャ・インフォメーション）とＡＯＴＴ−ＳＲＰＴ（オーディオ・オンリ・タイトル・サーチ・ポインタ・テーブル）のフォーマットを詳しく示す説明図である。
【図３】
図２のＡＯＴＴ−ＳＲＰＴＩ（オーディオ・オンリ・タイトル・サーチ・ポインタ・テーブル・インフォメーション）のフォーマットを詳しく示す説明図である。
【図４】
図２のＡＯＴＴ−ＳＲＰ（オーディオ・オンリ・タイトル・サーチ・ポインタ）のフォーマットを詳しく示す説明図である。
【図５】
図４のＡＴＴ−ＣＡＴ（オーディオ・タイトル・カテゴリ）のフォーマットを詳しく示す説明図である。
【図６】
図１のＡＴＳ（オーディオ・タイトル・セット）とＡＴＳＩ（オーディオ・タイトル・セット・インフォメーション）のフォーマットを詳しく示す説明図である。
【図７】
図６のＡＯＴＴ−ＡＯＢＳ（オーディオ・オンリ・タイトル用オーディオ・オブジェクト・セット）のフォーマットを詳しく示す説明図である。
【図８】
図６のＡＴＳ−ＰＧＣＩＴ（ＡＴＳプログラム・チェーン・インフォメーション・テーブル）のフォーマットを詳しく示す説明図である。
【図９】
図８のＡＴＳ−ＰＧＣＩ（ＡＴＳプログラム・チェーン・インフォメーション）のフォーマットを詳しく示す説明図である。
【図１０】
図９のＡＴＳ−ＰＧＣ−ＧＩ（ＡＴＳ−ＰＧＣジェネラル・インフォメーション）のフォーマットを詳しく示す説明図である。
【図１１】
図９のＡＴＳ−ＰＧＩＴ（ＡＴＳプログラム・インフォメーション・テーブル）のフォーマットを詳しく示す説明図である。
【図１２】
図１１のＡＴＳ−ＰＧＩ（ＡＴＳプログラム・インフォメーション）のフォーマットを詳しく示す説明図である。
【図１３】
図９のＡＴＳ−Ｃ−ＰＢＩＴ（ＡＴＳセル・プレイバック・インフォメーション・テーブル）のフォーマットを詳しく示す説明図である。
【図１４】
図１３のＡＴＳ−Ｃ−ＰＢＩ（ＡＴＳセル・プレイバック・インフォメーション）のフォーマットを詳しく示す説明図である。
【図１５】
再生側から見た楽曲のデータ構造を示す説明図である。
【図１６】
本発明に適用されるエンコード装置を示すブロック図である。
【図１７】
本発明に適用される再生装置を示すブロック図である。
【図１８】
再生処理を説明するためのフローチャートである。
【図１９】
図１８のグループ再生処理を詳しく説明するためのフローチャートである。
【図２０】
本発明が適用される情報記録媒体の第２の実施形態としてＤＶＤ−Ａｖｄディスクのフォーマットを示す説明図である。
【図２１】
信号処理回路３２及びＤＶＤ符号化回路３４の動作フロー図である。
【図２２】
ＤＶＤ復号回路４２及び信号処理回路４３の動作フロー図である。
【図２３】
データの伝送時の処理手順を示すフローチャートである。
【図２４】
データの受信時の処理手順を示すフローチャートである。
【図２５】
情報記録媒体がＤＶＤディスクである場合の具体的再生装置の概略ブロック図である。
【図２６】
情報記録媒体の他の例を示す図である。
【符号の説明】
３２    信号処理回路
３４    ＤＶＤ符号化回路
３５    変調回路
６１    表示部
６２    操作部（入力手段）
６３    制御部（再生手段）